(57)【要約】      （修正有）【課題】照明具や芳香消臭剤発生器等を高いデザイン性を保ちながら収納配置できるようにした収納設置具を提供する。【解決手段】樹皮を除去した柱状木材が、内部が筒状に除去されて物品の収納部４とされるとともに、全周表面３が複数本の凹条５が軸方向に並設されることで格子面とされ、さらに、収納部４と凹条５とを連通する開口７が設けられてなることを特徴とする収納設置具。【選択図】図２
0003146119.tif 000002
【実用新案登録請求の範囲】
【請求項１】
樹皮を除去した柱状木材が、内部が筒状に除去されて物品の収納部とされるとともに、全周表面が複数本の凹条が軸方向に並設されることで格子面とされ、さらに、前記収納部と前記凹条とを連通する開口が設けられてなることを特徴とする収納設置具。
【請求項２】
前記開口が前記複数本の凹条にわたって模様状に設けられてなることを特徴とする請求項１記載の収納設置具。
【請求項３】
軸方向において長尺に構成され行灯形態を呈する請求項１または２記載の収納設置具。
【請求項４】
請求項１の収納設置具が、軸方向において半割れ形態とされて構成される収納設置具。
【考案の詳細な説明】
【技術分野】
【０００１】  この考案は、照明具や芳香消臭剤発生器等を収納配置するための収納配置具に関する。
【背景技術】
【０００２】  最近では、家屋の居間などのデザイン性が高くなり、そこに置かれる照明具等もそれに伴ったデザイン性の高いものが求められる。また、家屋内において芳香消臭剤等も汎用されるようになっているが、その発生器をそのまま設置した場合には家屋内のデザイン性を損なってしまう恐れがある。
【考案の開示】
【考案が解決しようとする課題】
【０００３】  この考案では、照明具や芳香消臭剤発生器等を高いデザイン性を保ちながら収納配置できるようにすることを目的とする。
【課題を解決するための手段】
【０００４】  請求項１の考案では、樹皮を除去した柱状木材が、内部が筒状に除去されて物品の収納部とされるとともに、全周表面が複数本の凹条が軸方向に並設されることで格子面とされ、さらに、前記収納部と前記凹条とを連通する開口が設けられてなることを特徴とする収納設置具を提供する。請求項４の考案では、請求項１の収納設置具が、軸方向において半割れ形態とされて構成される収納設置具を提供する。【０００５】  請求項１の考案の収納設置具は、内部の収納部に照明具や芳香消臭剤発生器等を納める状態において家屋内の各部に設置使用される。収納設置具はその全周表面が格子面とされるとともに凹条のない部分が自然の木肌を備えていることで高級な和風デザインを創出する。また、開口が凹条の奥部に位置することで見えにくく、さらに、それを通して内部収納物が見えにくくなっており、この点においてもデザイン性に優れる。【０００６】  収納部内に照明具が収納されて点灯されることでその光が開口より外部に到る。その際開口が模様状に設けられることでその光が模様状に浮き出る。収納設置具が長尺の柱状木材により構成されることで、収納部内上部に照明具を配置して点灯させ「行灯」形態のものとして使用できる。収納部内に芳香消臭剤やオゾンの発生器等が収納されて用いられることで、芳香消臭剤やオゾン等が開口を通して外部に到る。【０００７】  柱状木材としては、杉や欅等の木目、木肌の美しいものが好適に用いられる。【０００８】  請求項４の考案の収納設置具は、カウンターやテーブル上に半割れ側が壁面等の垂直面に当接するよう設置使用され、請求項１の収納設置具と同等の作用を奏する。
【考案の効果】
【０００９】  この考案によれば、照明具や芳香消臭剤等の発生器を高いデザイン性を保ち収納設置できるようになる。
【考案を実施するための最良の形態】
【００１０】  図１はこの考案の収納設置具の第１の実施形態の外観斜視図、図２は同底面側斜視図である。【００１１】  収納設置具１は、全体が杉の丸太材よりなり、その上端側が閉じられた状態において内部が断面環状の周壁部２を残すようにくり抜き除去され、そこが物品の収納部４とされるとともに、樹皮が除去された後漂白処理された全周表面３は、複数本の凹条５が軸方向に並設されることで格子面とされている。７は内部の収納部４と凹条５とを連通する開口で、開口７は複数本の凹条５にわたって模様状に設けられている。９は丸太材の歪みを防止する切り欠き部である。【００１２】  図３は使用状態を示す断面図である。収納設置具１は、例えば、カウンターやテーブル、また、床の間の上に載置される状態に設置使用される。１０は照明具であり、電球１１が取り付けられた円形の基台１２が、周壁部２下部の内周に沿って形成される段部１３に嵌合されるようにして収納部４内に収納されている。【００１３】  部屋空間が明るく電球１１が点灯されない場合は、収納設置具１はその全周表面３が格子面とされるとともに凹条５のない部分が白色で艶のある木肌を備え、さらに上端面１５等に木目が露呈していることで、和風のきわめて格調の高い置物として用いられる。また、開口７が凹条５の奥部に位置することで見えにくく、さらに、それを通して内部の電球１１が見えにくくなっており、この点においてもデザイン性が高められている。くわえて、収納設置具１は杉の丸太材よりなることで、製造後初期の段階において木の香を発する芳香発生効果も奏する。内部に照明具１０に代えて芳香消臭剤やオゾンやフィトンチッドの発生器を収納するように用いる場合は、上記のデザイン効果等が同様に発揮されるとともに、さらに、各種成分が開口７から外部に至ることで対応する効果が発揮される。芳香消臭剤やフィトンチッドは単に容器内から蒸発により発生する形態のものを用いてもよく、その場合は、カウンターやテーブル上に置いた容器を覆うように収納設置具１を設けたり、また、収納部４内上面に設けた係止具に容器を係止するようにする。カウンターやテーブル上には、各種の実用小物を継続的に置いている場合があり、それらを覆うように収納設置具１を用いてもよい。【００１４】  部屋内空間が暗くされた状態において、電球１１が点灯されることでその光が開口７より外部に到る。その際開口７が凹条５の奥に模様状に設けられていることで、その模様が光とともに浮かび上がるように見えて照明効果が高められる。【００１５】  図４はこの考案の第２の実施形態を示し、この実施形態においては収納設置具１が長尺の丸太材により構成されている。収納部４内上部に照明具１０を配置して点灯させることで、「行灯」形態とものとして用いられる。【００１６】  図５はこの考案の第３の実施形態を示し、この実施形態における収納設置具１は第１の実施形態の収納設置具１が縦方向において半割れ形態されたものとなっている。この収納設置具１はカウンターやテーブル上に置いた際にその半割れ側が壁面等の垂直面に当接するように用いられる。
【図面の簡単な説明】
【００１７】
【図１】この考案の収納設置具の第１の実施形態の外観斜視図
【図２】この考案の収納設置具の第１の実施形態の底面側斜視図
【図３】この考案の収納設置具の第１の実施形態の使用状態断面図
【図４】この考案の収納設置具の第２の実施形態の外観斜視図
【図５】この考案の収納設置具の第３の実施形態の外観斜視図
【符号の説明】
【００１８】１    収納設置具
３    全周表面
４    収納部
５    凹条
７    開口
【図１】
0003146119.tif 000003
【図２】
0003146119.tif 000004
【図３】
0003146119.tif 000005
【図４】
0003146119.tif 000006
【図５】
0003146119.tif 000007